(57)【要約】【課題】明るいレンズであり、かつ光学系全長が短くコンパクトであり、良好な収差性能を有するズームレンズ及び撮像装置を提供すること。【解決手段】変倍時に複数のレンズ群を光軸方向に移動させることにより変倍を行うズームレンズにおいて、最も物体側のレンズ群は正屈折力の屈折力を有し、前記最も物体側のレンズ群は変倍時に移動し、以下の条件式（１）を満足することを特徴とする。    ＦＮＯ（Ｗ）＜１．６４      （１）  ここで、  ＦＮＯ（Ｗ）は、広角端における前記ズームレンズのＦナンバー、である。【選択図】図１
2013137464.tif 000002
【特許請求の範囲】
【請求項１】
変倍時に複数のレンズ群を光軸方向に移動させることにより変倍を行うズームレンズにおいて、
最も物体側のレンズ群は正屈折力の屈折力を有し、
前記最も物体側のレンズ群は変倍時に移動し、
以下の条件式（１）を満足することを特徴とするズームレンズ。
ＦＮＯ（Ｗ）＜１．６４      （１）
ここで、
ＦＮＯ（Ｗ）は、広角端における前記ズームレンズのＦナンバー、
である。
【請求項２】
物体側から順に、
正の第１レンズ群と、
負の第２レンズ群と、
正の第３レンズ群と、を有することを特徴とする請求項１に記載のズームレンズ。
【請求項３】
以下の条件式（２）を満足することを特徴とする請求項１または２に記載のズームレンズ。
−０．８＜ｆ２／ｆｔ＜−０．３２      （２）
ここで、
ｆ２は、前記第２レンズ群の焦点距離、
ｆｔは、望遠端における前記ズームレンズ全系の焦点距離、
である。
【請求項４】
以下の条件式を満足することを特徴とする請求項１〜３のいずれか１項に記載のズームレンズ。
３＜ｆｔ／ｆｗ      （３）
ここで、
ｆｔは、望遠端における前記ズームレンズ全系の焦点距離、
ｆｗは、広角端における前記ズームレンズ全系の焦点距離、
である。
【請求項５】
以下の条件式を満足することを特徴とする請求項１〜４のいずれか１項に記載のズームレンズ。
Δ１Ｇ／ｆｔ＜０．７５      （４）
ここで、
Δ１Ｇは、前記第１レンズ群の広角端から望遠端に変倍した際の移動量、
ｆｔは、望遠端における前記ズームレンズ全系の焦点距離、
である。
【請求項６】
前記第３レンズ群は４枚以上のレンズで構成されていることを特徴とする請求項１〜５のいずれか１項に記載のズームレンズ。
【請求項７】
前記第３レンズ群は以下の条件式（５）を満足することを特徴とする請求項１〜６のいずれか１項に記載のズームレンズ。
２＜β３（Ｔ）／β３（Ｗ）      （５）
ここで、
β３（Ｗ）は、広角端における前記第３レンズ群の横倍率、
β３（Ｔ）は、望遠端における前記第３レンズ群の横倍率、
である。
【請求項８】
前記第３レンズ群は以下の条件式（６）を満足することを特徴とする請求項１〜７のいずれか１項に記載のズームレンズ。
Ｄ（Ｔ)/ｆｔ＜４      （６）
ここで、
Ｄ（Ｔ)は、望遠端における前記ズームレンズの全長、
ｆｔは、望遠端における前記ズームレンズ全系の焦点距離、
である。
【請求項９】
以下の条件式（７）を満足することを特徴とする請求項１〜８のいずれか１項に記載のズームレンズ。
ＦＮＯ（Ｔ）＜３．５      （７）
ここで、
ＦＮＯ（Ｔ）は、望遠端における前記ズームレンズのＦナンバー、
である。
【請求項１０】
以下の条件式（８）を満足することを特徴とする請求項１〜９のいずれか１項に記載のズームレンズ。
１＜ｆ１/ｆｔ＜２．３      （８）
ここで、
ｆ１は、前記第１レンズ群の焦点距離、
ｆｔは、望遠端における前記ズームレンズ全系の焦点距離、
である。
【請求項１１】
以下の条件式（９）を満足することを特徴とする請求項１〜１０のいずれか１項に記載のズームレンズ。
０．３＜（β２（Ｔ）／β２（Ｗ））／（β３（Ｔ）／β３（Ｗ））＜１．２  （９）
ここで、
β２（Ｗ）は、広角端における前記第２レンズ群の横倍率、
β２（Ｔ）は、望遠端における前記第２レンズ群の横倍率、
β３（Ｗ）は、広角端における前記第３レンズ群の横倍率、
β３（Ｔ）は、望遠端における前記第３レンズ群の横倍率、
である。
【請求項１２】
以下の条件式（１０）を満足することを特徴とする請求項１〜１１のいずれか１項に記載のズームレンズ。
−１．２＜ｆ２/ｆ３＜−０．４      （１０）
ここで、
ｆ２は、前記第２レンズ群の焦点距離、
ｆ３は、前記第３レンズ群の焦点距離、
である。
【請求項１３】
以下の条件式（１１）を満足することを特徴とする請求項１〜１２のいずれか１項に記載のズームレンズ。
０．３６＜ｆ３/ｆｔ＜０．８      （１１）
ここで、
ｆ３は、前記第３レンズ群の焦点距離、
ｆｔは、望遠端における前記ズームレンズ全系の焦点距離、
である。
【請求項１４】
物体側から順に、
正の第１レンズ群と、
負の第２レンズ群と、
正の第３レンズ群と、を有し、
最も像側に正レンズ群を有することを特徴とする請求項１〜１３のいずれか１項に記載のズームレンズ。
【請求項１５】
以下の条件式（１２）を満足することを特徴とする請求項１〜１４のいずれか１項に記載のズームレンズ。
Σｄ/ｆｔ＜２      （１２）
ここで、
Σｄは、前記ズームレンズの総肉厚、
ｆｔは、望遠端における前記ズームレンズ全系の焦点距離、
である。
【請求項１６】
前記第３レンズ群は、３つ以上のレンズ成分を有することを特徴とする請求項１〜１５のいずれか１項に記載のズームレンズ。
【請求項１７】
以下の条件式（１３）を満足することを特徴とする請求項１６に記載のズームレンズ。
０＜ｆ_３Ｇ１/ｆ_３Ｇ３＜０．８      （１３）
ここで、
ｆ_３Ｇ１は、前記第３レンズ群の第１レンズ成分の焦点距離、
ｆ_３Ｇ３は、前記第３レンズ群の第３レンズ成分の焦点距離、
である。
【請求項１８】
以下の条件式（１４）を満足することを特徴とする請求項１６または１７に記載のズームレンズ。
−２＜ｆ_３Ｇ２/ｆ_３Ｇ３＜０      （１４）
ここで、
ｆ_３Ｇ２は、前記第３レンズ群の第２レンズ成分の焦点距離、
ｆ_３Ｇ３は、前記第３レンズ群の第３レンズ成分の焦点距離、
である。
【請求項１９】
前記３つ以上のレンズ成分のうち、
第１レンズ成分は正レンズ、
第２レンズ成分は正レンズと負レンズとの接合レンズ、
第３レンズ成分は負レンズと正レンズとの接合レンズ、
であることを特徴とする請求項１６〜１８のいずれか１項に記載のズームレンズ。
【請求項２０】
前記第３レンズ群は、４つ以上のレンズ成分を有することを特徴とする請求項１〜１５のいずれか１項に記載のズームレンズ。
【請求項２１】
以下の条件式（１５）を満足することを特徴とする請求項２０に記載のズームレンズ。
−０．６２＜ｆ_３Ｇ１/ｆ_３Ｇ２      （１５）
ここで、
ｆ_３Ｇ１は、前記第３レンズ群の第１レンズ成分の焦点距離、
ｆ_３Ｇ２は、前記第３レンズ群の第２レンズ成分の焦点距離、
である。
【請求項２２】
以下の条件式（１６）を満足することを特徴とする請求項２０または２１に記載のズームレンズ。
０．１＜ｆ_３Ｇ１/ｆ_３Ｇ４＜０．７      （１６）
ここで、
ｆ_３Ｇ１は、前記第３レンズ群の第１レンズ成分の焦点距離、
ｆ_３Ｇ４は、前記第３レンズ群の第４レンズ成分の焦点距離、
である。
【請求項２３】
以下の条件式（１７）を満足することを特徴とする請求項２０〜２２のいずれか１項に記載のズームレンズ。
−４．０＜ｆ_３Ｇ３/ｆ_３Ｇ４＜０      （１７）
ここで、
ｆ_３Ｇ３は、前記第３レンズ群の第３レンズ成分の焦点距離、
ｆ_３Ｇ４は、前記第３レンズ群の第４レンズ成分の焦点距離、
である。
【請求項２４】
前記４つ以上のレンズ成分のうち、
第１レンズ成分は正レンズ、
第２レンズ成分は正レンズ、
第３レンズ成分は正レンズと負レンズとの接合レンズ、
であることを特徴とする請求項２０〜２３のいずれか１項に記載のズームレンズ。
【請求項２５】
前記第３レンズ群は、５つ以上のレンズ成分を有することを特徴とする請求項１〜１５のいずれか１項に記載のズームレンズ。
【請求項２６】
以下の条件式（１８）を満足することを特徴とする請求項２５に記載のズームレンズ。
｜ｆ_３Ｇ１/ｆ_３Ｇ２｜＜０．４      （１８）
ここで、
ｆ_３Ｇ１は、前記第３レンズ群の第１レンズ成分の焦点距離、
ｆ_３Ｇ２は、前記第３レンズ群の第２レンズ成分の焦点距離、
である。
【請求項２７】
前記第３レンズ群内に、少なくとも１組の接合レンズを有することを特徴とする請求項１６に記載のズームレンズ。
【請求項２８】
前記接合レンズの物体側面が物体側に凸の形状を有し、
以下の条件式（１９）、（２０）を満足することを特徴とする請求項２７に記載のズームレンズ。
−０．１＜（ｎｄ_ｃｅ−Ｌ）−（ｎｄ_ｃｅ−Ｒ）      （１９）
５＜（νｄ_ｃｅ−Ｌ）−（νｄ_ｃｅ−Ｒ）＜２５      （２０） 
ここで、
ｎｄ_ｃｅ−Ｌは、前記第３レンズ群内の、最も物体側の接合レンズの物体側レンズのｄ線に対する屈折率、
ｎｄ_ｃｅ−Ｒは、前記第３レンズ群内の、最も物体側の接合レンズの像側レンズのｄ線に対する屈折率、
νｄ_ｃｅ−Ｌは、前記第３レンズ群内の、最も物体側の接合レンズの物体側レンズのアッベ数、
νｄ_ｃｅ−Ｒは、前記第３レンズ群内の、最も物体側の接合レンズの像側レンズのアッベ数、
である。
【請求項２９】
前記接合レンズの物体側のレンズは、正レンズであることを特徴とする請求項２８に記載のズームレンズ。
【請求項３０】
前記第３レンズ群の最も像側のレンズ成分は、負レンズと正レンズとの接合レンズであることを特徴とする請求項２７に記載のズームレンズ。
【請求項３１】
以下の条件式（２１）を満足することを特徴とする請求項３０に記載のズームレンズ。
２０＜｜νｄｐ−νｄｎ｜      （２１）
ここで、
νｄｐは、前記接合レンズの前記正レンズのアッベ数、
νｄｎは、前記接合レンズの前記負レンズのアッベ数、
である。
【請求項３２】
請求項１〜３１のいずれか１項に記載のズームレンズと、
前記ズームレンズの像側に配置され、前記ズームレンズにより形成される光学像を電気信号に変換する撮像素子と、を有することを特徴とする撮像装置。
【発明の詳細な説明】
【技術分野】
【０００１】
本発明は、ズームレンズ及びそれを用いた撮像装置、特にコンパクトなデジタルカメラに好適なものに関する。
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。本発明においては、特にコンパクトな普及タイプのカテゴリーに注目している。
【０００３】
このような普及タイプのデジタルカメラのユーザーは、いつでもどこでも手軽に幅広いシーンで撮影を楽しみたいという要望をもっている。そのため、小型な商品、特に服やカバンのポケット等への収納性がよく、持ち運びが便利な、厚み方向のサイズが薄型であるタイプのデジタルカメラが好まれるようになっている。そのため、撮影レンズ系にもより一層の小型化が要望されている。
【０００４】
また、撮影領域について、高い変倍比と、明るく高い光学性能が得られる安価な構成のズームレンズが求められている。
【０００５】
比較的広角で明るいズームレンズを構成した先行技術としては、物体側より正屈折力の第１レンズ群、負屈折力の第２レンズ群、正屈折力の第３レンズ群、第４レンズ群を有するタイプが知られており、以下のような技術が開示されている。
【先行技術文献】
【特許文献】
【０００６】
【特許文献１】特開２００４−２１９７８２号公報
【０００７】
特許文献１に記載されている光学系のうち、実施例２、実施例３に係る光学系は、物体側より順に、正負正正タイプの光学系である。
【発明の概要】
【発明が解決しようとする課題】
【０００８】
しかしながら、このタイプの光学系では、レンズを明るくしようとすると、開口絞りの径が大きくなる。このため、収差を良好に補正するためには、光学系の全長が大きくなってしまうという問題を有している。
【０００９】
本発明は、上記に鑑みてなされたものであって、明るいレンズであり、かつ光学系全長が短くコンパクトであり、良好な収差性能を有するズームレンズ及びそれを用いた撮像装置を提供することを目的とする。
【課題を解決するための手段】
【００１０】
上述した課題を解決し、目的を達成するために、本発明のズームレンズは、
変倍時に複数のレンズ群を光軸方向に移動させることにより変倍を行うズームレンズにおいて、
最も物体側のレンズ群は正屈折力の屈折力を有し、
最も物体側のレンズ群は変倍時に移動し、
以下の条件式（１）を満足することを特徴とする。
ＦＮＯ（Ｗ）＜１．６４      （１）
ここで、
ＦＮＯ（Ｗ）は、広角端におけるズームレンズのＦナンバー、
である。
【００１１】
また、本発明の撮像装置によれば、
上述のズームレンズと、
ズームレンズの像側に配置され、ズームレンズにより形成される光学像を電気信号に変換する撮像素子と、を有することを特徴とする。
【発明の効果】
【００１２】
本発明によれば、明るく小型で、良好な結像性能を有するズームレンズ、及びこのズームレンズを備えた撮像装置を提供することができる。
【図面の簡単な説明】
【００１３】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】（ａ）〜（ｌ）は、実施例１の無限遠物点合焦時の収差図である。
【図９】（ａ）〜（ｌ）は、実施例２の無限遠物点合焦時の収差図である。
【図１０】（ａ）〜（ｌ）は、実施例３の無限遠物点合焦時の収差図である。
【図１１】（ａ）〜（ｌ）は、実施例４の無限遠物点合焦時の収差図である。
【図１２】（ａ）〜（ｌ）は、実施例５の無限遠物点合焦時の収差図である。
【図１３】（ａ）〜（ｌ）は、実施例６の無限遠物点合焦時の収差図である。
【図１４】（ａ）〜（ｌ）は、実施例７の無限遠物点合焦時の収差図である。
【図１５】本発明によるズームレンズを組み込んだデジタルカメラの外観を示す前方斜視図である。
【図１６】上記デジタルカメラの後方図である。
【図１７】上記デジタルカメラの断面図である。
【図１８】デジタルカメラの主要部の内部回路の構成ブロック図である。
【発明を実施するための形態】
【００１４】
以下に、本発明にかかるズームレンズ及び撮像装置の実施形態及び実施例を、図面に基づいて詳細に説明する。なお、この実施形態及び実施例によりこの発明が限定されるものではない。
【００１５】
本実施形態のズームレンズは、変倍時に複数のレンズ群を光軸方向に移動させることにより変倍を行うズームレンズであって、
最も物体側のレンズ群は正屈折力を有し、
最も物体側のレンズ群は変倍時に移動し、
以下の条件式（１）を満足することを特徴とする。
ＦＮＯ（Ｗ）＜１．６４      （１）
ここで、
ＦＮＯ（Ｗ）は、広角端におけるズームレンズのＦナンバー、
である。
【００１６】
ズームレンズのＦナンバーを小さくする、即ち明るいズームレンズを実現するとき、開校絞りの径、レンズの有効径を大きくする必要がある。このため、最も物体側のレンズ群の径も大きくなってしまう。有効径が大きいレンズの屈折力を大きくすると、収差補正のためにレンズ枚数が増加してしまう。これにより、レンズ系の全長が長くなってしまう。
本実施形態では、ズームレンズの大型化を抑えつつ、良好な光学性能を有し、Ｆナンバーが２以下の明るいズームレンズを提供できる。
【００１７】
また、本実施形態の好ましい態様によれば、
物体側から順に、
正の第１レンズ群と、
負の第２レンズ群と、
正の第３レンズ群と、を有することが望ましい。
【００１８】
これにより、正先行タイプの明るいズームレンズを提供できる。
【００１９】
また、本実施形態の好ましい態様によれば、
以下の条件式（２）を満足することが望ましい。
−０．８＜ｆ２／ｆｔ＜−０．３２      （２）
ここで、
ｆ２は、第２レンズ群の焦点距離、
ｆｔは、望遠端におけるズームレンズ全系の焦点距離、
である。
【００２０】
条件式（２）は、望遠端におけるズームレンズ全系の焦点距離と第２レンズ群の焦点距離との適切な比を規定している。
条件式（２）の上限を上回ると、第２レンズ群の屈折力が小さくなる。このため、ズームレンズの全長が長くなる。したがって、小型化が困難になる。
また、条件式（２）の下限を下回ると、広角端状態における像面湾曲、倍率色収差が大きく発生してしまう。
【００２１】
また、本実施形態の好ましい態様によれば、
以下の条件式を満足することが望ましい。
３＜ｆｔ／ｆｗ      （３）
ここで、
ｆｔは、望遠端におけるズームレンズ全系の焦点距離、
ｆｗは、広角端におけるズームレンズ全系の焦点距離、
である。
【００２２】
条件式（３）は、高い変倍比を確保するための条件を規定している。
【００２３】
また、本実施形態の好ましい態様によれば、
以下の条件式を満足することが望ましい。
Δ１Ｇ／ｆｔ＜０．７５      （４）
ここで、
Δ１Ｇは、第１レンズ群の広角端から望遠端に変倍した際の移動量、
ｆｔは、望遠端におけるズームレンズ全系の焦点距離、
である。
【００２４】
条件式（４）は、望遠端におけるズームレンズ全系の焦点距離と第１レンズ群の変倍時の移動量の比を規定している。
条件式（４）の上限を上回ると、広角端状態から望遠端状態への変倍時の倍率色収差、軸上色収差の変動が大きくなってしまう。
また、ズームレンズの全長が大きくなることで、小型化が困難になる。
【００２５】
また、本実施形態の好ましい態様によれば、
第３レンズ群は４枚以上のレンズで構成されていることが望ましい。
【００２６】
第３レンズ群を４枚以上とすることで、球面収差、コマ収差、色収差等の諸収差の発生を効率的に抑制できる。
【００２７】
また、本実施形態の好ましい態様によれば、
第３レンズ群は以下の条件式（５）を満足することが望ましい。
２＜β３（Ｔ）／β３（Ｗ）      （５）
ここで、
β３（Ｗ）は、広角端における第３レンズ群の横倍率、
β３（Ｔ）は、望遠端における第３レンズ群の横倍率、
である。
【００２８】
条件式（５）は、第３レンズ群の適切な変倍比を規定している。
条件式（５）の下限を下回ると、他のレンズ群によって変倍を負担する必要が有る。これにより、所収差の発生が大きくなる。さらに、他のレンズ群の移動量が大きくなってしまう。
【００２９】
また、本実施形態の好ましい態様によれば、
第３レンズ群は以下の条件式（６）を満足することが望ましい。
Ｄ（Ｔ)/ｆｔ＜４      （６）
ここで、
Ｄ（Ｔ)は、望遠端におけるズームレンズの全長、
ｆｔは、望遠端におけるズームレンズ全系の焦点距離、
である。
【００３０】
条件式（６）は、望遠端におけるズームレンズ全系の焦点距離と望遠端におけるズームレンズの全長との適切な比を規定している。
条件式（６）の上限を上回ると、コンパクトな構成を確保できなくなってしまう。
【００３１】
また、本実施形態の好ましい態様によれば、
以下の条件式（７）を満足することが望ましい。
ＦＮＯ（Ｔ）＜３．５      （７）
ここで、
ＦＮＯ（Ｔ）は、望遠端におけるズームレンズのＦナンバー、
である。
【００３２】
条件式（７）は、望遠端におけるズームレンズのＦナンバーを規定している。
条件式（７）の上限を上回ると、望遠端において明るさを確保できなくなってしまう。
【００３３】
また、本実施形態の好ましい態様によれば、
以下の条件式（８）を満足することが望ましい。
１＜ｆ１/ｆｔ＜２．３      （８）
ここで、
ｆ１は、第１レンズ群の焦点距離、
ｆｔは、望遠端におけるズームレンズ全系の焦点距離、
である。
【００３４】
条件式（８）は、望遠端におけるズームレンズ全系の焦点距離と第１レンズ群の焦点距離との適切な比を規定している。
ズームレンズが明るくなると、瞳径が大きくなるため、第１レンズ群Ｇ１の有効径は大きくなる、このため、第１レンズ群Ｇ１の屈折力は小さくなってしまう。
条件式（８）の下限を下回ると、望遠端状態における倍率色収差、像面湾曲が大きく発生してしまう。
条件式（８）の上限を上回ると、第１レンズ群の屈折力が小さくなる。このため、ズームレンズの全長が長くなる。したがって、小型化が困難になる。
【００３５】
また、本実施形態の好ましい態様によれば、
以下の条件式（９）を満足することが望ましい。
０．３＜（β２（Ｔ）／β２（Ｗ））／（β３（Ｔ）／β３（Ｗ））＜１．２  （９）
ここで、
β２（Ｗ）は、広角端における第２レンズ群の横倍率、
β２（Ｔ）は、望遠端における第２レンズ群の横倍率、
β３（Ｗ）は、広角端における第３レンズ群の横倍率、
β３（Ｔ）は、望遠端における第３レンズ群の横倍率、
である。
【００３６】
条件式（９）は、第３レンズ群の変倍比と第２レンズ群の変倍比との適切な比を規定している。すなわち、「（β２（Ｔ）／β２（Ｗ））／（β３（Ｔ）／β３（Ｗ））」は、屈折力と移動量を含めた第２レンズ群と第３レンズ群のバランスを規定する。
【００３７】
ズームレンズが明るくなると、瞳径が大きくなるため、第２レンズ群の径は大きくなってしまう。
それにより、第２レンズ群に屈折力を持たせようとすると、像面湾曲が大きく発生してしまう。このため、第２レンズ群に変倍比を持たせることができない。
条件式（９）の上限を上回ると、第２レンズ群の変倍負担が大きくなる。このため、広角端状態における像面湾曲、倍率色収差等が大きく発生してしまう。
また、収差を抑制するためには、レンズ枚数を増やす必要ある。このため、ズームレンズの小型化が困難になってしまう。
条件式（９）の下限を下回ると、第３レンズ群の変倍負担が過剰に大きくなってしまう。これにより、球面収差、コマ収差等が大きく発生し、軸上色収差の変動が大きくなる。
【００３８】
また、本実施形態の好ましい態様によれば、
以下の条件式（１０）を満足することが望ましい。
−１．２＜ｆ２/ｆ３＜−０．４      （１０）
ここで、
ｆ２は、第２レンズ群の焦点距離、
ｆ３は、第３レンズ群の焦点距離、
である。
【００３９】
条件式（１０）は、第３レンズ群の焦点距離と第２レンズ群の焦点距離との適切な比を規定している。
条件式（１０）の下限を下回ると、第３レンズ群に対する第２レンズ群の屈折力が大きくなってしまう。これにより、広角端状態における像面湾曲、倍率色収差が大きく発生してしまう。
条件式（１０）の上限を上回ると、第３レンズ群の屈折力が過剰に大きくなってしまう。これにより、球面収差、コマ収差が大きく発生してしまう。
【００４０】
また、本実施形態の好ましい態様によれば、
以下の条件式（１１）を満足することが望ましい。
０．３６＜ｆ３/ｆｔ＜０．８      （１１）
ここで、
ｆ３は、第３レンズ群の焦点距離、
ｆｔは、望遠端におけるズームレンズ全系の焦点距離、
である。
【００４１】
条件式（１１）は、望遠端におけるズームレンズ全系の焦点距離と第３レンズ群の焦点距離との適切な比を規定している。
条件式（１１）の上限を上回ると、第３レンズ群の屈折力が小さくなる。このため、ズームレンズの全長が長くなる。これにより、ズームレンズの小型化が困難になる。
条件式（１１）の下限を下回ると、第３レンズ群の屈折力が過剰に大きくなる。これにより、球面収差、コマ収差が大きく発生してしまう。
【００４２】
また、本実施形態の好ましい態様によれば、
物体側から順に、
正の第１レンズ群と、
負の第２レンズ群と、
正の第３レンズ群と、を有し、
最も像側に正レンズ群を有することが望ましい。
これにより、変倍比を確保しながら、コンパクトな構成とするのに有利である。
【００４３】
また、本実施形態の好ましい態様によれば、
以下の条件式（１２）を満足することが望ましい。
Σｄ/ｆｔ＜２      （１２）
ここで、
Σｄは、ズームレンズの総肉厚、
ｆｔは、望遠端におけるズームレンズ全系の焦点距離、
である。
【００４４】
条件式（１２）は、望遠端におけるズームレンズの焦点距離とズームレンズの総肉厚との適切な比を規定している。
条件式（２）の上限を上回らないことで、コンパクトな構成を確保できる。
【００４５】
また、本実施形態の好ましい態様によれば、
第３レンズ群は、３つ以上のレンズ成分を有することが望ましい。
ただし、レンズ成分は、有効光路中にて空気と接触する面が物体側面と像側面の２面のみであるレンズ体を意味する。
【００４６】
ズームレンズが明るくなると、瞳径が大きくなる。このため、収差性能をより上げる必要が有る。
そこで、第３レンズ群を３成分とすることで、第１成分の屈折力を抑え、球面収差やコマ収差等の発生量を抑制できる。
また、第３レンズ群に、第３成分を入れることで、収差補正を負担させることができる。これにより、高い収差完結能力を実現できる。
【００４７】
また、本実施形態の好ましい態様によれば、
以下の条件式（１３）を満足することが望ましい。
０＜ｆ_３Ｇ１/ｆ_３Ｇ３＜０．８      （１３）
ここで、
ｆ_３Ｇ１は、第３レンズ群の第１レンズ成分の焦点距離、
ｆ_３Ｇ３は、第３レンズ群の第３レンズ成分の焦点距離、
である。
【００４８】
条件式（１３）は、第３レンズ群における、第３レンズ成分の第１レンズ成分に対する適切なパワーバランスを規定している。
ズームレンズが明るくなると、瞳径が大きくなる。第１レンズ成分に屈折力を過剰に付与してしまうと球面収差、コマ収差が大きく発生してしまう。
ここで、第３レンズ成分に屈折力を負担させることで、第１レンズ成分の屈折力を小さくすることができる。これにより、球面収差、コマ収差を抑制できる。
また、第１レンズ成分で発生する高次のコマ収差を第３レンズ成分によって補正できる。
条件式（１３）の下限を下回ると、第３レンズ成分の屈折力が小さくなってしまう。このため、第１レンズ成分に過剰に屈折力を負担させる必要がある。これにより、球面収差、コマ収差が大きく発生してしまう。従って、高次のコマ収差の補正が困難になる。
条件式（１３）の上限を上回ると、第３レンズ成分の屈折力が過剰に大きくなる。また、第３レンズ群の主点を物体側に位置させることができない。このため、ズームレンズのコンパクトな構成が困難になる。
【００４９】
また、本実施形態の好ましい態様によれば、
以下の条件式（１４）を満足することが望ましい。
−２＜ｆ_３Ｇ２/ｆ_３Ｇ３＜０      （１４）
ここで、
ｆ_３Ｇ２は、第３レンズ群の第２レンズ成分の焦点距離、
ｆ_３Ｇ３は、第３レンズ群の第３レンズ成分の焦点距離、
である。
【００５０】
条件式（１４）は、第３レンズ群における第３レンズ成分の第２レンズ成分に対する適切なパワーバランスを規定している。
条件式（１４）の下限を下回ると、第２レンズ成分の屈折力が小さくなってしまう。これにより、高次のコマ収差の補正が困難となってしまう。
条件式（１４）の上限を上回ると、第２レンズ成分の屈折力が大きくなってしまう。これにより、第３レンズ群全体のパワーを強くできない
第３レンズ群の屈折力を維持するために、第１レンズ成分の屈折力を強める必要が有る。これにより、球面収差、コマ収差が大きく発生する。このため、第２レンズ成分による光線の跳ね上げが大きくなる。これにより、第３レンズ成分の径が大きくなってしまう。したがって、第３レンズ群全体に屈折力を付与しにくい。よって、小型化に不利となる。
【００５１】
また、本実施形態の好ましい態様によれば、
３つ以上のレンズ成分のうち、
第１レンズ成分は正レンズ、
第２レンズ成分は正レンズと負レンズとの接合レンズ、
第３レンズ成分は負レンズと正レンズとの接合レンズ、
であることが望ましい。
【００５２】
これにより、第３レンズ群の第１レンズ成分で屈折力を確保しつつ、第２レンズ成分と第３レンズ成分とで球面収差やコマ収差、色収差を効率的に補正することができる。
【００５３】
また、本実施形態の好ましい態様によれば、
第３レンズ群は、４つ以上のレンズ成分を有することが望ましい。
【００５４】
レンズ成分数を増やすことで、第１レンズ成分の屈折力をさらに抑え、球面収差やコマ収差等の発生量を抑制することができる。
【００５５】
また、本実施形態の好ましい態様によれば、
以下の条件式（１５）を満足することが望ましい。
−０．６２＜ｆ_３Ｇ１/ｆ_３Ｇ２      （１５）
ここで、
ｆ_３Ｇ１は、第３レンズ群の第１レンズ成分の焦点距離、
ｆ_３Ｇ２は、第３レンズ群の第２レンズ成分の焦点距離、
である。
【００５６】
条件式（１５）は、第１レンズ成分の第２レンズ成分に対する適切なパワーバランスを規定している。
条件式（１５）の下限を下回ると、第１レンズ成分の屈折力が小さくなる。このため、第３レンズ群の主点を物体側に位置させることができない。これにより、小型化に不利となる。
【００５７】
また、本実施形態の好ましい態様によれば、
以下の条件式（１６）を満足することが望ましい。
０．１＜ｆ_３Ｇ１/ｆ_３Ｇ４＜０．７      （１６）
ここで、
ｆ_３Ｇ１は、第３レンズ群の第１レンズ成分の焦点距離、
ｆ_３Ｇ４は、第３レンズ群の第４レンズ成分の焦点距離、
である。
【００５８】
条件式（１６）は、第４レンズ成分の第１レンズ成分に対するパワーバランスを規定している。
ズームレンズが明るくなると、瞳径が大きくなる。第１レンズ成分の屈折力を過剰に付与してしまうと球面収差、コマ収差が大きく発生してしまう。
そこで、第４レンズ成分に屈折力をもたせることで、第１レンズ成分の屈折力を小さくすることができる。これにより、球面収差、コマ収差を抑制できる。
また、第１レンズ成分で発生する高次のコマ収差を第４レンズ成分によって補正できる。
条件式（１６）の下限を下回ると、第４レンズ成分の屈折力が小さくなる。このため、第１レンズ成分に過剰に屈折力を持たせる必要が生じてしまう。これにより、球面収差、コマ収差が大きく発生してしまう。したがって、高次のコマ収差の補正が困難となる。
条件式（１６）の上限を上回ると、第４レンズ成分の屈折力が過剰に大きくなる。従って、第３レンズ群の主点を物体側に位置させることができない。よって、コンパクトな構成が困難になる。
【００５９】
また、本実施形態の好ましい態様によれば、
以下の条件式（１７）を満足することが望ましい。
−４．０＜ｆ_３Ｇ３/ｆ_３Ｇ４＜０      （１７）
ここで、
ｆ_３Ｇ３は、第３レンズ群の第３レンズ成分の焦点距離、
ｆ_３Ｇ４は、第３レンズ群の第４レンズ成分の焦点距離、
である。
【００６０】
条件式（１７）は、第４レンズ成分の第３レンズ成分に対するパワーバランスを規定している。
条件式（１７）の下限を下回ると、第３レンズ成分の屈折力が小さくなる。このため、高次のコマ収差の補正が困難となる。
条件式（１７）の上限を上回ると、第３レンズ成分の屈折力が大きくなる。このため、第３レンズ群全体の屈折力を大きくできない。第３レンズ群の屈折力を維持するためには、第１レンズ成分の屈折力を強める必要が有る。これにより、球面収差、コマ収差が大きく発生する。
また、第３レンズ成分による光線の跳ね上げが大きくなり、第３レンズ成分の径が大きくなる。これにより、第３レンズ群全体の屈折力が付与しにくい。このため、小型化に不利となる。
【００６１】
また、本実施形態の好ましい態様によれば、
４つ以上のレンズ成分のうち、
第１レンズ成分は正レンズ、
第２レンズ成分は正レンズ、
第３レンズ成分は正レンズと負レンズとの接合レンズ、
であることが望ましい。
【００６２】
第２レンズ成分に正屈折力をもたせることで、第１レンズ成分の屈折力が過剰に大きくなることを抑制することができる。これにより、球面収差、コマ収差の発生を抑えることができる。また、第３レンズ成分を接合レンズとすることで、色収差を効率的に補正できる。
【００６３】
また、本実施形態の好ましい態様によれば、
第３レンズ群は、５つ以上のレンズ成分を有することが望ましい。
【００６４】
第４レンズ成分の収差補正の負担を、第５レンズ成分で補うことができる。このため、
個々の収差発生量を抑制することができる。
【００６５】
また、本実施形態の好ましい態様によれば、
以下の条件式（１８）を満足することが望ましい。
｜ｆ_３Ｇ１/ｆ_３Ｇ２｜＜０．４      （１８）
ここで、
ｆ_３Ｇ１は、第３レンズ群の第１レンズ成分の焦点距離、
ｆ_３Ｇ２は、第３レンズ群の第２レンズ成分の焦点距離、
である。
【００６６】
条件式（１８）は、第３レンズ群における第１レンズ成分の第２レンズ成分に対するパワーバランスを規定している。
本条件式は、絶対値を用いて条件を規定している。
第２レンズ成分が正屈折力の場合、第１レンズ成分の屈折力を負担するためである。
第２レンズ成分が負屈折力の場合、高次の収差補正を行うためである。
条件式（１８）の範囲内とすることで、第１レンズ成分の屈折力を負担し、球面収差、コマ収差の発生を抑制できる。また、高次の収差補正を効率的に行うことができる。
【００６７】
また、本実施形態の好ましい態様によれば、
第３レンズ群内に、少なくとも１組の接合レンズを有することが望ましい。
【００６８】
接合レンズによって、第３レンズ群内で発生する色収差を効率的に補正できる。
【００６９】
また、本実施形態の好ましい態様によれば、
接合レンズの物体側面が物体側に凸の形状を有し、
以下の条件式（１９）、（２０）を満足することが望ましい。
−０．１＜（ｎｄ_ｃｅ−Ｌ）−（ｎｄ_ｃｅ−Ｒ）      （１９）
５＜（νｄ_ｃｅ−Ｌ）−（νｄ_ｃｅ−Ｒ）＜２５      （２０） 
ここで、
ｎｄ_ｃｅ−Ｌは、第３レンズ群内の、最も物体側の接合レンズの物体側レンズのｄ線（波長５８７.６ｎｍ）に対する屈折率、
ｎｄ_ｃｅ−Ｒは、第３レンズ群内の、最も物体側の接合レンズの像側レンズのｄ線に対する屈折率、
νｄ_ｃｅ−Ｌは、第３レンズ群内の、最も物体側の接合レンズの物体側レンズのアッベ数、
νｄ_ｃｅ−Ｒは、第３レンズ群内の、最も物体側の接合レンズの像側レンズのアッベ数、
である。
【００７０】
条件式（１９）の屈折率バランスとすることで、接合レンズの物体側面の正屈折力を大きくすることができる。このため、第３レンズ群の主点を物体側に位置させることができる。これにより、小型化が可能である。
かつ、条件式（２０）のアッベ数バランスを同時に満たすことで、色収差を効率的に補正することが可能となる。
【００７１】
また、本実施形態の好ましい態様によれば、
接合レンズの物体側のレンズは、正レンズであることが望ましい。
【００７２】
これにより、接合レンズによる色収差補正をより効率的に行うことができる。
【００７３】
また、本実施形態の好ましい態様によれば、
第３レンズ群の最も像側のレンズ成分は、負レンズと正レンズとの接合レンズであることが望ましい。
【００７４】
接合レンズによって、第３レンズ内で発生する色収差を効率的に補正できる。
【００７５】
また、本実施形態の好ましい態様によれば、
以下の条件式（２１）を満足することが望ましい。
２０＜｜νｄｐ−νｄｎ｜      （２１）
ここで、
νｄｐは、接合レンズの正レンズのアッベ数、
νｄｎは、接合レンズの負レンズのアッベ数、
である。
【００７６】
条件式（２１）の下限を下回ると色収差が大きく発生してしまう。
【００７７】
また、本発明の撮像装置は、
上述のズームレンズと、
ズームレンズの像側に配置され、ズームレンズにより形成される光学像を電気信号に変換する撮像素子と、を有することを特徴とする。
これにより、明るく小型で、良好な結像性能を有するズームレンズを備えた撮像装置を得られる。
【００７８】
また、本実施形態において、以下の条件式（２２）を満足することが望ましい。
−０．２＜ΔＬＧ/ｆｔ＜０．３      （２２）
ここで、ΔＬＧは、最も像側のレンズ群の広角端から望遠端に変倍した際の移動量である。
【００７９】
条件式（２２）は、小型化のために第１レンズ群の移動量を小さくし、最終レンズ群を物体側に移動させることで像の位置合わせを行うために好適な条件を規定している。
条件式（２２）の上限を上回ると、最終レンズ群（最も像側のレンズ群）による減倍が大きくなる。このため、減倍した分を他のレンズ群で負担する必要が生じてしまう。
条件式（２２）の下限を下回ると、第１レンズ群の移動量を大きく必要がある。このため、ズームレンズの全長が大きくなり、小型化に不利である。
【００８０】
また、機能（作用効果）をより確実にする上で、上述の各条件式は上限値、下限値を以下のようにすることが、好ましい。
条件式（１）について、
上限値を１．５とすることが好ましい。
条件式（２）について、
下限値を−０．６、更には−０．５とすることが好ましい。
上限値を−０．３２、更には−０．３２とすることが好ましい。
条件式（３）について、
下限値を３．４、更には３．７、更には４．１とすることが好ましい。
条件式（４）について、
上限値を０．６５、更には０．６、更には０．３とすることが好ましい。
条件式（５）について、
下限値を２．６とすることが好ましい。
条件式（６）について、
上限値を３．５、更には３．１、更には２．７とすることが好ましい。
条件式（７）について、
上限値を３、更には２．５とすることが好ましい。
条件式（８）について、
上限値を２．１とすることが好ましい。
条件式（９）について、
下限値を０．５とすることが好ましい。
上限値を１とすることが好ましい。
条件式（１０）について、
下限値を−１、更には−０．７５とすることが好ましい。
上限値を−０．５、更には−０．７とすることが好ましい。
条件式（１１）について、
下限値を０．６とすることが好ましい。
上限値を０．７とすることが好ましい。
条件式（１２）について、
上限値を１．５、更には１．２とすることが好ましい。
条件式（１３）について、
下限値を０．１、更には０．２とすることが好ましい。
上限値を０．７１、更には０．２とすることが好ましい。
条件式（１４）について、
下限値を−１．７、更には−０．５とすることが好ましい。
上限値を−０．２、更には−０．５とすることが好ましい。
条件式（１５）について、
下限値を−０．２とすることが好ましい。
条件式（１６）について、
下限値を０．１５、更には０．４とすることが好ましい。
上限値を０．７、更には０．４とすることが好ましい。
条件式（１７）について、
下限値を−２、更には−０．６とすることが好ましい。
上限値を０、更には−０．６とすることが好ましい。
条件式（１８）について、
上限値を０．２とすることが好ましい。
条件式（１９）について、
下限値を０とすることが好ましい。
条件式（２０）について、
下限値を１０、更には１５とすることが好ましい。
上限値を２０とすることが好ましい。
条件式（２２）について、
下限値を−０．１５、更には０．０５とすることが好ましい。
上限値を０．２、更には０．０５とすることが好ましい。
【００８１】
なお、上述のズームレンズは、複数の構成を同時に満足してもよい。このようにすることが、良好なズームレンズ、及び撮像装置を得る上で好ましい。また、好ましい構成の組み合わせは任意である。また、各条件式について、より限定した条件式の数値範囲の上限値あるいは下限値のみを限定しても構わない。
【００８２】
以下に、本発明に係るズームレンズ、及び撮像装置の実施例を図面に基づいて詳細に説明する。なお、この実施例によりこの発明が限定されるものではない。
【００８３】
以下、本発明のズームレンズの実施例１〜７について説明する。実施例１〜７の無限遠物点合焦時の広角端（ａ）、中間状態（ｂ）、望遠端（ｃ）のレンズ断面図をそれぞれ図１〜図７に示す。図１〜図７中、第１レンズ群はＧ１、第２レンズ群はＧ２、明るさ（開口）絞りはＳ、第３レンズ群はＧ３、第４レンズ群はＧ４、第５レンズ群はＧ５、フィルターはＦ（例えば、ダスト除去フィルター、）、電子撮像素子（ＣＣＤ、Ｃ−ＭＯＳセンサー）のカバーガラスの平行平板はＣ、像面はＩで示してある。なお、カバーガラスＣの表面に波長域制限用の多層膜を施してもよい。また、そのカバーガラスＣに赤外光を制限する波長域制限コートを施したローパスフィルタ作用を持たせるようにしてもよい。
平行平板Ｆは、ローバスフィルターの機能を持たないようにしてもよい。
【００８４】
また、数値データはいずれも無限遠の被写体に合焦した状態でのデータである。各数値の長さの単位はｍｍ、角度の単位は°（度）である。さらに、ズームデータは広角端、中間焦点距離状態、望遠端での値である。
【００８５】
実施例１のズームレンズは、図１（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、正屈折力の屈折力の第４レンズ群Ｇ４とを配置している。
【００８６】
広角端からから望遠端への変倍時において、
第１レンズ群Ｇ１は、像側に移動した後反転し、物体側に移動する。
第２レンズ群Ｇ２は、像側に移動した後反転し、物体側に移動する。
第３レンズ群Ｇ３は、物体側に移動する。
第４レンズ群Ｇ４は、物体側へ移動する。
【００８７】
物体側から順に、第１レンズ群Ｇ１は、物体側に凸面を向けた負メニスカスレンズＬ１と、両凸正レンズＬ２とから構成されている。ここで、負メニスカスレンズＬ１と両凸正レンズＬ２とが接合されている。
第２レンズ群Ｇ２は、物体側に凸面を向けた負メニスカスレンズＬ３と、両凹負レンズＬ４と、両凸正レンズＬ５とから構成されている。
第３レンズ群Ｇ３は、物体側に凸面を向けた正メニスカスレンズＬ６と、物体側に凸面を向けた正メニスカスレンズＬ７と、物体側に凸面を向けた負メニスカスレンズＬ８と、物体側に凸面を向けた負メニスカスレンズＬ９と、両凸正レンズＬ１０とから構成されている。ここで、正メニスカスレンズＬ７と負メニスカスレンズＬ８とが接合されている。また、負メニスカスレンズＬ９と両凸正レンズＬ１０とが接合されている。
第４レンズ群Ｇ４は、物体側に凸面を向けた正メニスカスレンズＬ１１から構成されている。
【００８８】
非球面は、正メニスカスレンズＬ６の両面と、両凸正レンズＬ１０の像側面と、正メニスカスレンズＬ１１の物体側面との合計４面に用いられている。
【００８９】
実施例２のズームレンズは、図２（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、正屈折力の屈折力の第４レンズ群Ｇ４とを配置している。
【００９０】
広角端からから望遠端への変倍時において、
第１レンズ群Ｇ１は、像側に移動した後反転し、物体側に移動する。
第２レンズ群Ｇ２は、像側に移動した後反転し、物体側に移動する。
第３レンズ群Ｇ３は、物体側に移動する。
第４レンズ群Ｇ４は、物体側へ移動した後反転し、像側に移動する。
【００９１】
第１レンズ群Ｇ１は、物体側に凸面を向けた負メニスカスレンズＬ１と、物体側に凸面を向けた正メニスカスレンズＬ２とから構成されている。ここで、負メニスカスレンズＬ１と、正メニスカスレンズＬ２とが接合されている。
第２レンズ群Ｇ２は、物体側に凸面を向けた負メニスカスレンズＬ３と、両凹負レンズＬ４と、両凸正レンズＬ５と、物体側に凸面を向けた正メニスカスレンズＬ６とから構成されている。
第３レンズ群Ｇ３は、両凸正レンズＬ７と、物体側に凸面を向けた正メニスカスレンズＬ８と、物体側に凸面を向けた正メニスカスレンズＬ９と、物体側に凸面を向けた負メニスカスレンズＬ１０と、両凹負レンズＬ１１と、両凸正レンズＬ１２とから構成されている。ここで、正メニスカスレンズＬ９と負メニスカスレンズＬ１０とが接合されている。また、両凹負レンズＬ１１と両凸正レンズＬ１２とが接合されている。
第４レンズ群Ｇ４は、物体側に凸面を向けた正メニスカスレンズＬ１３から構成されている。
【００９２】
非球面は、両凹負レンズＬ４の両面と、両凸正レンズＬ７の両面と、両凸正レンズＬ１２の像側面と、正メニスカスレンズＬ１３の物体側面との合計６面に用いられている。
【００９３】
実施例３のズームレンズは、図３（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、正屈折力の屈折力の第４レンズ群Ｇ４とを配置している。
【００９４】
広角端からから望遠端への変倍時において、
第１レンズ群Ｇ１は、物体側に移動する。
第２レンズ群Ｇ２は、像側に移動した後反転し、物体側に移動する。
第３レンズ群Ｇ３は、物体側に移動する。
第４レンズ群Ｇ４は、物体側へ移動した後反転し、像側に移動する。
【００９５】
第１レンズ群Ｇ１は、物体側に凸面を向けた負メニスカスレンズＬ１と、物体側に凸面を向けた正メニスカスレンズＬ２とから構成されている。ここで、負メニスカスレンズＬ１と、正メニスカスレンズＬ２とが接合されている。
第２レンズ群Ｇ２は、物体側に凸面を向けた負メニスカスレンズＬ３と、両凹負レンズＬ４と、像側に凸面を向けた正メニスカスレンズＬ５と、物体側に凸面を向けた正メニスカスレンズＬ６とから構成されている。
第３レンズ群Ｇ３は、両凸正レンズＬ７と、物体側に凸面を向けた正メニスカスレンズＬ８と、物体側に凸面を向けた負メニスカスレンズＬ９と、両凹負レンズＬ１０と、両凸正レンズＬ１１と、像側に凸面を向けた正メニスカスレンズＬ１２とから構成されている。ここで、正メニスカスレンズＬ８と負メニスカスレンズＬ９とが接合されている。また、両凹負レンズＬ１０と両凸正レンズＬ１１とが接合されている。
第４レンズ群Ｇ４は、物体側に凸面を向けた正メニスカスレンズＬ１３から構成されている。
【００９６】
非球面は、両凹負レンズＬ４の両面と、両凸正レンズＬ７の両面と、正メニスカスレンズＬ１２の像側面と、正メニスカスレンズＬ１３の物体側面との合計６面に用いられている。
【００９７】
実施例４のズームレンズは、図４（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、正屈折力の屈折力の第４レンズ群Ｇ４とを配置している。
【００９８】
広角端からから望遠端への変倍時において、
第１レンズ群Ｇ１は、物体側に移動する。
第２レンズ群Ｇ２は、像側に移動した後反転し、物体側に移動する。
第３レンズ群Ｇ３は、物体側に移動する。
第４レンズ群Ｇ４は、物体側へ移動した後反転し、像側に移動する。
【００９９】
第１レンズ群Ｇ１は、物体側に凸面を向けた負メニスカスレンズＬ１と、物体側に凸面を向けた正メニスカスレンズＬ２とから構成されている。ここで、負メニスカスレンズＬ１と、正メニスカスレンズＬ２とが接合されている。
第２レンズ群Ｇ２は、物体側に凸面を向けた負メニスカスレンズＬ３と、両凹負レンズＬ４と、両凸正レンズＬ５とから構成されている。
第３レンズ群Ｇ３は、物体側に凸面を向けた正メニスカスレンズＬ６と、物体側に凸面を向けた負メニスカスレンズＬ７と、物体側に凸面を向けた負メニスカスレンズＬ８と、物体側に凸面を向けた負メニスカスレンズＬ９と、両凹負レンズＬ１０と、両凸正レンズＬ１１と、像側に凸面を向けた正メニスカスレンズＬ１２とから構成されている。ここで、負メニスカスレンズＬ８と負メニスカスレンズＬ９とが接合されている。また、両凹負レンズＬ１０と両凸正レンズＬ１１とが接合されている。
第４レンズ群Ｇ４は、物体側に凸面を向けた正メニスカスレンズＬ１３から構成されている。
【０１００】
非球面は、両凹負レンズＬ４の両面と、正メニスカスレンズＬ６の両面と、正メニスカスレンズＬ１２の像側面と、正メニスカスレンズＬ１３の物体側面との合計６面に用いられている。
【０１０１】
実施例５のズームレンズは、図５（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、負屈折力の屈折力の第４レンズ群Ｇ４と、正屈折力の屈折力の第５レンズ群Ｇ５とを配置している。
【０１０２】
広角端からから望遠端への変倍時において、
第１レンズ群Ｇ１は、物体側に移動する。
第２レンズ群Ｇ２は、像側に移動する。
第３レンズ群Ｇ３は、物体側に移動する。
第４レンズ群Ｇ４は、物体側へ移動した後反転し、像側に移動する。
第５レンズ群Ｇ５は、物体側へ移動した後反転し、像側に移動する。
【０１０３】
第１レンズ群Ｇ１は、物体側に凸面を向けた負メニスカスレンズＬ１と、両凸正レンズＬ２とから構成されている。ここで、負メニスカスレンズＬ１と、両凸正レンズＬ２とが接合されている。
第２レンズ群Ｇ２は、物体側に凸面を向けた負メニスカスレンズＬ３と、両凹負レンズＬ４と、両凸正レンズＬ５とから構成されている。
第３レンズ群Ｇ３は、両凸正レンズＬ６と、物体側に凸面を向けた正メニスカスレンズＬ７と、物体側に凸面を向けた負メニスカスレンズＬ８と、両凹負レンズＬ９と、両凸正レンズＬ１０とから構成されている。ここで、正メニスカスレンズＬ７と負メニスカスレンズＬ８とが接合されている。また、両凹負レンズＬ９と両凸正レンズＬ１０とが接合されている。
第４レンズ群Ｇ４は、物体側に凸面を向けた負メニスカスレンズＬ１１から構成されている。
第５レンズ群Ｇ５は、両凸正レンズＬ１２とから構成されている。
【０１０４】
非球面は、両凸正レンズＬ６の両面と、両凸正レンズＬ１０の像側面と、両凸正レンズＬ１２の物体側面との合計４面に用いられている。
【０１０５】
実施例６のズームレンズは、図６（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、負屈折力の屈折力の第４レンズ群Ｇ４と、正屈折力の屈折力の第５レンズ群Ｇ５とを配置している。
【０１０６】
広角端からから望遠端への変倍時において、
第１レンズ群Ｇ１は、物体側に移動する。
第２レンズ群Ｇ２は、像側に移動する。
第３レンズ群Ｇ３は、物体側に移動する。
第４レンズ群Ｇ４は、物体側へ移動した後反転し、像側に移動する。
第５レンズ群Ｇ５は、物体側へ移動した後反転し、像側に移動する。
【０１０７】
第１レンズ群Ｇ１は、物体側に凸面を向けた負メニスカスレンズＬ１と、物体側に凸面を向けた正メニスカスレンズＬ２とから構成されている。ここで、負メニスカスレンズＬ１と正メニスカスレンズＬ２とが接合されている。
第２レンズ群Ｇ２は、物体側に凸面を向けた負メニスカスレンズＬ３と、両凹負レンズＬ４と、両凸正レンズＬ５とから構成されている。
第３レンズ群Ｇ３は、物体側に凸面を向けた正メニスカスレンズＬ６と、物体側に凸面を向けた正メニスカスレンズＬ７と、物体側に凸面を向けた負メニスカスレンズＬ８と、物体側に凸面を向けた負メニスカスレンズＬ９と、両凸正レンズＬ１０とから構成されている。ここで、正メニスカスレンズＬ７と負メニスカスレンズＬ８とが接合されている。また、負メニスカスレンズＬ９と両凸正レンズＬ１０とが接合されている。
第４レンズ群Ｇ４は、物体側に凸面を向けた負メニスカスレンズＬ１１から構成されている。
第５レンズ群Ｇ５は、物体側に凸面を向けた正メニスカスレンズＬ１２から構成されている。
【０１０８】
非球面は、正メニスカスレンズＬ６の両面と、両凸正レンズＬ１０の像側面と、負メニスカスレンズＬ１１の像側面と、正メニスカスレンズＬ１２の物体側面との合計５面に用いられている。
【０１０９】
実施例７のズームレンズは、図７（ａ）、（ｂ）、（ｃ）に示すように、物体側から順に、正屈折力の屈折力の第１レンズ群Ｇ１と、負屈折力の屈折力の第２レンズ群Ｇ２と、明るさ絞りＳと、正屈折力の屈折力の第３レンズ群Ｇ３と、負屈折力の屈折力の第４レンズ群Ｇ４と、正屈折力の屈折力の第５レンズ群Ｇ５とを配置している。
【０１１０】
広角端からから望遠端への変倍時において、
第１レンズ群Ｇ１は、像側に移動した後反転し、物体側に移動する。
第２レンズ群Ｇ２は、像側に移動する。
第３レンズ群Ｇ３は、物体側に移動する。
第４レンズ群Ｇ４は、物体側へ移動する。
第５レンズ群Ｇ５は、固定している。
【０１１１】
第１レンズ群Ｇ１は、物体側に凸面を向けた負メニスカスレンズＬ１と、物体側に凸面を向けた正メニスカスレンズＬ２とから構成されている。ここで、負メニスカスレンズＬ１と正メニスカスレンズＬ２とが接合されている。
第２レンズ群Ｇ２は、物体側に凸面を向けた負メニスカスレンズＬ３と、両凹負レンズＬ４と、両凸正レンズＬ５とから構成されている。
第３レンズ群Ｇ３は、両凸正レンズＬ６と、物体側に凸面を向けた正メニスカスレンズＬ７と、物体側に凸面を向けた正メニスカスレンズＬ８と、物体側に凸面を向けた負メニスカスレンズＬ９と、物体側に凸面を向けた負メニスカスレンズＬ１０と、両凸正レンズＬ１１とから構成されている。ここで、正メニスカスレンズＬ８と負メニスカスレンズＬ９とが接合されている。また、負メニスカスレンズＬ１０と両凸正レンズＬ１１とが接合されている。
第４レンズ群Ｇ４は、物体側に凸面を向けた負メニスカスレンズＬ１２から構成されている。
第５レンズ群Ｇ５は、物体側に凸面を向けた正メニスカスレンズＬ１３から構成されている。
【０１１２】
非球面は、両凹負レンズＬ４の両面と、両凸正レンズＬ６の両面と、両凸正レンズＬ１１の像側面と、負メニスカスレンズＬ１２の両面との合計７面に用いられている。
【０１１３】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、焦点距離は全系の焦点距離、ＦＮＯ．はＦナンバー、ωは半画角、ｆ１、ｆ２…は各レンズ群の焦点距離である。なお、全長は、レンズ最前面からレンズ最終面までの距離にバックフォーカスを加えたものである。ｆｂ（バックフォーカス）は、レンズ最終面から近軸像面までの距離を空気換算して表したものである。
【０１１４】
また、合焦状態については、無限遠時は無限遠物体に合焦した時、倍率−１／１０倍時は、倍率が−１／１０倍となるときの物体に合焦した時、物像間距離２００ｍｍ時は、物像間距離が２００ｍｍとなるときの物体に合焦した時のことを表している。なお、近距離物体へ合焦した状態としては、例えば、物像間距離２００ｍｍ時の状態がある。
【０１１５】
また、非球面形状は、ｘを光の進行方向を正とした光軸とし、ｙを光軸と直交する方向にとると、下記の式にて表される。
ｘ＝（ｙ2／Ｒ）／［１＋｛１−（Ｋ＋１）（ｙ／Ｒ）2｝1/2］
＋Ａ4ｙ4 ＋Ａ6ｙ6＋Ａ8ｙ8＋Ａ10ｙ10＋Ａ12ｙ12
ただし、Ｒは近軸曲率半径、Ｋは円錐係数、Ａ4、Ａ6、Ａ8、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１１６】
数値実施例１
単位ｍｍ
面データ
面番号     r          d         nd        νd    
物面       ∞         ∞ 
1      31.836      0.60     1.84666    23.78
2      23.000      3.08     1.72916    54.68
3   -1424.613      可変
4     238.786      0.70     1.88300    40.76
5       8.234      4.40
6     -23.701      0.60     1.88300    40.76
7      47.895      0.20
8      22.405      1.60     1.92286    18.90
9    -100.083      可変
10(絞り)  ∞        0.10
11*      8.871      2.05     1.80610    40.92
12*    228.015      0.10
13       8.636      1.86     1.88300    40.76
14      42.922      0.40     1.80810    22.76
15       5.039      2.46
16      57.150      0.40     1.63980    34.46
17       7.978      1.44     1.58313    59.38
18*    -55.171      可変
19*     10.506      1.90     1.52542    55.78
20      70.000      可変
21        ∞        0.30     1.51633    64.14
22        ∞        0.50
23        ∞        0.50     1.51633    64.14
24        ∞        0.50
像面（撮像面）∞
非球面データ
第１１面
K=0.000
A4=-1.35303e-04,A6=-1.43789e-07,A8=-3.79066e-08  
第１２面
K=0.000
A4=3.10204e-05,A6=3.91440e-07,A8=-2.02694e-08  
第１８面
K=0.000
A4=-5.59643e-05,A6=4.25186e-06,A8=-3.53224e-07  
第１９面
K=0.000
A4=-1.03426e-04,A6=5.29674e-07,A8=-7.71621e-09  
ズームデータ
広角      中間      望遠
焦点距離           5.06     11.08     24.29
ＦＮＯ．           1.63      2.07      2.71
画角２ω          76.36     38.83     17.79
fb (in air)        5.31      8.01      9.30
全長 (in air)     51.77     49.65     59.43
d3                 0.30      6.80     15.67  
d9                20.72      7.67      1.77  
d18                3.57      5.29     10.81  
d20                3.78      6.48      7.77  
群焦点距離
f1=45.42     f2=-9.38     f3=13.17     f4=23.27   
【０１１７】
数値実施例２
単位ｍｍ
面データ
面番号     r          d         nd        νd    
物面       ∞         ∞
1      26.664      0.60     1.94595    17.98
2      20.000      3.27     1.81600    46.62
3     166.018      可変  
4     104.073      0.70     1.88300    40.76
5       6.802      3.94
6*    -37.769      0.60     1.74320    49.34
7*     23.196      0.81
8      74.098      1.02     1.94595    17.98
9    -167.781      1.22
10      38.320      1.28     1.94595    17.98
11     354.031      可変
12(絞り)  ∞        0.10
13*      9.894      2.26     1.85135    40.10
14*   -705.214      0.10
15      23.438      0.89     1.61800    63.33
16      32.101      0.10
17      10.979      1.16     1.88300    40.76
18      15.689      0.40     1.80810    22.76
19       6.338      1.84
20     -41.392      0.40     1.80518    25.42
21      11.662      2.50     1.58313    59.38
22*    -11.523      可変
23*     10.213      2.20     1.49700    81.54
24      70.000      可変
25        ∞        0.30     1.51633    64.14
26        ∞        0.50
27        ∞        0.50     1.51633    64.14
28        ∞        0.50
像面（撮像面）∞
非球面データ
第６面
K=0.000
A4=-3.45273e-04,A6=7.56807e-06,A8=-1.18154e-07,A10=-1.21720e-09  
第７面
K=0.000
A4=-5.08841e-04,A6=1.04589e-05,A8=-2.72958e-07,A10=1.45489e-09  
第１３面
K=0.000
A4=-8.70870e-05,A6=1.18618e-06,A8=-2.26295e-08  
第１４面
K=0.000
A4=1.05332e-04,A6=1.58967e-06,A8=-3.03237e-08  
第２２面
K=0.000
A4=1.40156e-05,A6=-8.74916e-07,A8=5.11227e-08  
第２３面
K=0.000
A4=-3.98099e-05,A6=-3.29639e-07,A8=1.94664e-09  
ズームデータ
広角      中間      望遠
焦点距離           4.40      9.64     21.12
ＦＮＯ．           1.45      1.92      2.42
画角２ω          84.35     44.80     20.46
fb (in air)        5.85      8.36      7.93
全長 (in air)     54.14     51.49     63.00
d3                 0.30      5.38     14.74  
d11               18.90      5.74      1.45  
d22                3.70      6.62     13.49  
d24                4.32      6.83      6.40  
群焦点距離
f1=40.91     f2=-8.08     f3=13.86     f4=23.77   
【０１１８】
数値実施例３
単位ｍｍ
面データ
面番号     r          d         nd        νd    
物面       ∞         ∞
1      25.919      0.60     1.94595    17.98
2      20.000      4.24     1.77250    49.60
3     179.565      可変
4     105.653      0.40     1.88300    40.76
5       6.403      4.32
6*    -23.750      0.40     1.74320    49.34
7*     43.631      0.60
8     -48.825      1.24     1.94595    17.98
9     -25.872      0.10
10      26.140      1.15     1.94595    17.98
11      75.727      可変
12(絞り)  ∞        0.10
13*      8.636      2.47     1.85135    40.10
14*   -317.607      0.30
15       9.833      0.48     2.00069    25.46
16       6.760      0.40     1.92286    18.90
17       6.356      2.63
18     -42.216      0.40     1.80810    22.76
19      10.044      1.86     1.59201    67.02
20     -18.460      0.37
21     -18.830      1.12     1.80610    40.92
22*    -11.933      可変
23*     10.575      2.97     1.49700    81.54
24      70.000      可変
25        ∞        0.30     1.51633    64.14
26        ∞        0.50
27        ∞        0.50     1.51633    64.14
28        ∞        0.50
像面（撮像面）∞
非球面データ
第６面
K=0.000
A4=1.19427e-04,A6=-1.16157e-05,A8=4.01539e-07,A10=-8.23559e-09  
第７面
K=0.000
A4=-6.50094e-05,A6=-9.25392e-06,A8=2.05789e-07,A10=-4.87518e-09  
第１３面
K=0.000
A4=-1.15414e-04,A6=6.29834e-07,A8=-4.11279e-08,A10=1.80602e-09  
第１４面
K=0.000
A4=1.74009e-04,A6=-5.35941e-07,A8=6.50009e-08  
第２２面
K=0.000
A4=-2.75896e-05,A6=5.94155e-07,A8=-2.17593e-08  
第２３面
K=0.000
A4=-4.81549e-05,A6=9.02919e-08,A8=-5.56984e-10  
ズームデータ
広角      中間      望遠
焦点距離           4.39      9.61     21.07
ＦＮＯ．           1.36      1.78      2.29
画角２ω          84.63     44.79     20.51
fb (in air)        6.77      8.90      8.10
全長 (in air)     51.81     51.24     63.73
d3                 0.30      6.14     15.00  
d11               17.00      5.20      1.13  
d22                1.61      4.86     13.36  
d24                5.24      7.37      6.57  
群焦点距離
f1=41.74     f2=-7.93     f3=14.08     f4=24.66   
【０１１９】
数値実施例４
単位ｍｍ
面データ
面番号     r          d         nd        νd    
物面       ∞         ∞
1      25.157      0.60     1.94595    17.98
2      20.000      3.52     1.77250    49.60
3     115.717      可変
4      78.736      0.40     1.88300    40.76
5       7.004      4.15
6*    -26.093      0.40     1.74320    49.34
7*     41.118      1.61
8      44.604      1.37     1.94595    17.98
9     -62.307      可変
10(絞り)  ∞        0.10
11*      9.227      2.60     1.85135    40.10
12*    961.126      0.10
13      18.170      0.40     1.76182    26.52
14      17.828      0.10
15      10.323      0.75     1.88300    40.76
16       9.568      0.40     1.80810    22.76
17       6.286      2.45
18     -25.701      0.40     1.78472    25.68
19       9.205      2.18     1.59201    67.02
20     -21.267      0.10
21    -481.785      1.47     1.74320    49.34
22*    -16.676      可変
23*     11.790      2.20     1.49700    81.54
24      70.000      可変
25        ∞        0.30     1.51633    64.14
26        ∞        0.50
27        ∞        0.50     1.51633    64.14
28        ∞        0.50
像面（撮像面）∞
非球面データ
第６面
K=0.000
A4=-9.16653e-05,A6=-8.86231e-07,A8=6.04505e-08,A10=-2.40563e-09  
第７面
K=0.000
A4=-2.28373e-04,A6=1.05144e-06,A8=-4.52591e-08,A10=-7.44012e-10  
第１１面
K=0.000
A4=-9.21278e-05,A6=1.59146e-07,A8=-2.07857e-08,A10=3.49112e-10  
第１２面
K=0.000
A4=1.21111e-04,A6=-3.99859e-07,A8=1.39955e-08  
第２２面
K=0.000
A4=-5.72085e-05,A6=-1.30176e-07,A8=-1.55534e-08  
第２３面
K=0.000
A4=-4.70865e-05,A6=-2.90721e-08,A8=1.22122e-08  
ズームデータ
広角      中間      望遠
焦点距離           4.40      9.64     21.12
ＦＮＯ．           1.31      1.74      2.14
画角２ω          84.28     45.20     20.62
fb (in air)        7.46      9.67      8.85
全長 (in air)     54.58     50.81     63.23
d3                 0.30      4.97     15.73  
d9                20.00      5.80      1.45  
d22                1.52      5.06     11.90  
d24                5.93      8.14      7.32  
群焦点距離
f1=43.83     f2=-8.58     f3=14.57     f4=28.17   
【０１２０】
数値実施例５
単位ｍｍ
面データ
面番号     r          d         nd        νd    
物面       ∞         ∞
1      34.874      0.60     1.84666    23.78
2      23.000      3.32     1.72916    54.68
3   -1623.950      可変  
4     160.470      0.70     1.88300    40.76
5       8.129      4.44
6     -19.449      0.60     1.88300    40.76
7     137.985      0.20
8      27.973      1.56     1.92286    18.90
9     -57.426      可変  
10(絞り)  ∞        0.10
11*      8.864      2.18     1.80610    40.92
12*   -504.359      0.10
13       9.101      1.87     1.88300    40.76
14      26.858      0.40     1.80810    22.76
15       5.256      1.68
16    -272.485      0.40     1.63980    34.46
17       5.823      2.07     1.58313    59.38
18*    -14.409      可変
19     -20.194      0.40     1.58313    59.38
20     -72.300      可変
21*     13.496      1.90     1.52542    55.78
22    -212.583      可変
23        ∞        0.30     1.51633    64.14
24        ∞        0.50
25        ∞        0.50     1.51633    64.14
26        ∞        0.50
像面（撮像面）∞
非球面データ
第１１面
K=0.000
A4=-1.31263e-04,A6=2.48500e-07,A8=-2.76236e-08  
第１２面
K=0.000
A4=7.34259e-05,A6=5.97819e-07,A8=-1.52721e-08  
第１８面
K=0.000
A4=1.82493e-05,A6=2.52488e-06,A8=-1.36211e-07  
第２１面
K=0.000
A4=-3.92135e-05,A6=-4.80291e-08,A8=5.71453e-08  
ズームデータ
広角      中間      望遠
焦点距離           5.06     11.08     24.29
ＦＮＯ．           1.62      2.13      2.94
画角２ω          76.35     38.79     17.62
fb (in air)        5.45      7.93      3.72
全長 (in air)     51.78     48.87     57.38
d3                 0.30      6.80     16.00  
d9                20.63      7.04      1.49  
d18                1.20      2.12     12.45  
d20                1.68      2.46      1.20  
d22                3.92      6.40      2.20  
群焦点距離
f1=50.92     f2=-9.89     f3=11.78     f4=-48.19     f5=24.22   
【０１２１】
数値実施例６
単位ｍｍ
面データ
面番号     r          d         nd        νd    
物面       ∞         ∞
1      25.560      0.60     1.94595    17.98
2      20.000      3.03     1.72916    54.68
3     368.464      可変
4     137.850      0.40     1.88300    40.76
5       7.513      4.00
6     -20.769      0.40     1.88300    40.76
7      59.452      0.10
8      20.577      1.46     1.94595    17.98
9    -128.295      可変
10(絞り)  ∞        0.10
11*      8.479      2.16     1.85135    40.10
12*    651.837      0.10
13       9.890      1.71     2.00100    29.13
14      26.407      0.40     1.92286    20.88
15       5.352      1.13
16      15.498      0.40     1.78472    25.68
17       6.743      2.80     1.59201    67.02
18*    -15.973      可変
19     320.997      0.40     1.49700    81.54
20*      8.351      可変
21*      9.152      1.70     1.58313    59.38
22     100.000      可変
23        ∞        0.30     1.51633    64.14
24        ∞        0.50
25        ∞        0.50     1.51633    64.14
26        ∞        0.50
像面（撮像面）∞
非球面データ
第１１面
K=0.000
A4=-1.43410e-04,A6=1.79378e-06,A8=-1.48060e-08  
第１２面
K=0.000
A4=1.27989e-04,A6=2.96546e-06,A8=-2.98199e-08  
第１８面
K=0.000
A4=-1.63967e-04,A6=-9.00192e-07,A8=1.68214e-08  
第２０面
K=0.000
A4=1.56603e-04,A6=2.92596e-06,A8=-8.64059e-07  
第２１面
K=0.000
A4=2.55327e-05,A6=5.81309e-07,A8=-2.56900e-08,A10=-7.70280e-10  
ズームデータ
広角      中間      望遠
焦点距離           5.06     11.08     24.29
ＦＮＯ．           1.53      1.87      2.44
画角２ω          76.31     38.94     17.63
fb (in air)        4.82      6.54      4.96
全長 (in air)     48.47     46.45     51.72
d3                 0.30      6.50     14.01  
d9                19.28      7.62      1.86  
d18                1.20      2.29      5.50  
d20                2.00      2.61      4.52  
d22                3.29      5.01      3.44  
群焦点距離
f1=40.94     f2=-8.80     f3=10.12     f4=-17.26     f5=17.16   
【０１２２】
数値実施例７
単位ｍｍ
面データ
面番号     r          d         nd        νd    
物面       ∞         ∞
1      24.091      0.60     1.94595    17.98
2      19.000      3.44     1.77250    49.60
3      98.244      可変
4      70.756      0.40     1.88300    40.76
5       7.213      4.43
6*    -27.371      0.40     1.74320    49.34
7*     58.476      1.65
8      47.768      1.32     1.94595    17.98
9     -74.155      可変
10(絞り)  ∞        0.10
11*      8.462      2.35     1.85135    40.10
12*   -314.277      0.10
13      43.533      0.40     1.50000    82.00
14      43.570      0.10
15      11.985      1.08     1.88300    40.76
16      20.634      0.40     1.80810    22.76
17       5.882      2.06
18      21.641      0.40     1.80810    22.76
19       8.617      2.20     1.59201    67.02
20*    -12.460      可変
21      29.060      0.40     1.49700    81.54
22      11.076      可変
23*     11.866      2.50     1.58313    59.38
24      30.000      可変
25        ∞        0.30     1.51633    64.14
26        ∞        0.50
27        ∞        0.50     1.51633    64.14
28        ∞        0.50
像面（撮像面）∞
非球面データ
第６面
K=0.000
A4=-3.39844e-04,A6=5.19733e-06,A8=-6.51661e-08,A10=-1.19572e-09  
第７面
K=0.000
A4=-4.37848e-04,A6=7.16550e-06,A8=-1.58783e-07,A10=4.72220e-10  
第１１面
K=0.000
A4=-1.21595e-04,A6=7.17284e-07,A8=-5.09185e-08,A10=4.84229e-10  
第１２面
K=0.000
A4=1.96881e-04,A6=-3.33881e-07,A8=-4.07449e-09  
第２０面
K=0.000
A4=2.78021e-05,A6=-1.17742e-07,A8=-4.27695e-08  
第２３面
K=0.000
A4=-1.44164e-04,A6=2.24442e-06,A8=-9.44010e-08  
ズームデータ
広角      中間      望遠
焦点距離           4.34      9.50     20.83
ＦＮＯ．           1.37      1.67      2.02
画角２ω          84.99     44.23     20.16
fb (in air)        2.83      2.83      2.82
全長 (in air)     50.90     44.87     54.39
d3                 0.30      5.26     16.00  
d9                19.75      5.53      1.10  
d20                2.14      4.37      2.00  
d22                1.54      2.54      8.12  
d24                1.30      1.30      1.30  
群焦点距離
f1=43.58     f2=-9.13     f3=10.62     f4=-36.26     f5=32.02   
【０１２３】
以上の実施例１〜７の収差図をそれぞれ図８〜図１４に示す。また各図中、”ω”は半画角を示す。
【０１２４】
これらの収差図において、（ａ）、（ｂ）、（ｃ）、（ｄ）は、それぞれ、広角端状態における球面収差（ＳＡ）、非点収差（ＡＳ）、歪曲収差（ＤＴ）、倍率色収差（ＣＣ）を示す。
【０１２５】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０１２６】
また、（ｉ）、（ｊ）、（ｋ）、（ｌ）は、それぞれ、望遠端状態における球面収差（ＳＡ）、非点収差（ＡＳ）、歪曲収差（ＤＴ）、倍率色収差（ＣＣ）を示す。
【０１２７】
次に、各実施例における条件式（１）〜（２２）の値を表１に掲げる。なお、「−−」は条件式に該当しないことを示している。
条件式１  ＦNO(Ｗ)
条件式２  f2/ft
条件式３  ft/fw
条件式４  Δ1G/ft
条件式５  β3(T)/β3(W)
条件式６  D(T)/ft
条件式７  Fno(T)
条件式８  f1/ft
条件式９  (β2(T)/β2(W))/(β3(T)/β3(W))
条件式１０  f2/f3
条件式１１  f3/ft
条件式１２  Σd/ft
条件式１３  f_3G1/f_3G3
条件式１４  f_3G2/f_3G3
条件式１５  f_3G1/f_3G2
条件式１６  f_3G1/f_3G4
条件式１７  f_3G3/f_3G4
条件式１８  |f_3G1/f_3G２|
条件式１９  (nd_ce-L)-(nd_ce-R)
条件式２０  (νd_ce-L)-(νd_ce-R)
条件式２１  |νdp-νdn|
条件式２２  ΔLG/ft
表１
実施例１  実施例２  実施例３  実施例４  実施例５  実施例６  実施例７
条件式１    1.63     1.45      1.36      1.31      1.62      1.53      1.37 
条件式２   -0.39    -0.38     -0.38     -0.41     -0.41     -0.36     -0.44 
条件式３    4.80     4.80      4.80      4.80      4.80      4.80      4.80 
条件式４    0.32     0.42      0.57      0.41      0.23      0.13      0.17 
条件式５    3.41     2.85      2.71      2.69      2.74      2.35      2.07 
条件式６    2.45     2.98      3.02      2.99      2.36      2.13      2.61 
条件式７    2.71     2.42      2.29      2.14      2.94      2.44      2.02 
条件式８    1.87     1.94      1.98      2.08      2.10      1.69      2.09 
条件式９    0.54     0.68      0.71      0.72      0.62      0.80      0.97 
条件式１０ -0.71    -0.58     -0.56     -0.59     -0.84     -0.87     -0.86 
条件式１１  0.54     0.66      0.67      0.69      0.48      0.42      0.51 
条件式１２  0.90     1.20      1.24      1.19      0.92      0.86      1.16 
条件式１３  0.17    -0.50     -0.07     -0.48      0.31      0.58     -0.58 
条件式１４ -0.37    -5.84      0.14    110.16     -0.71     -1.04  -1320.87 
条件式１５  --       0.08     -0.48      0.00      --        --        0.00 
条件式１６  --       0.18      0.26     -0.24      --        --        0.57 
条件式１７  --      -0.36     -3.79      0.49      --        --       -0.99 
条件式１８  --       --        --       -0.004     --        --        -- 
条件式１９  0.07     0.07      0.08      0.07      0.07      0.08      0.07 
条件式２０ 18.00    18.00      6.56     18.00     18.00      8.25     18.00 
条件式２１ 24.92    33.96     44.26     41.34     24.92     41.34     44.26 
条件式２２  0.16     0.10      0.06      0.07     -0.07      0.01      0.00
【０１２８】
図１５は、電子撮像装置としてのコンパクトカメラの断面図である。図１５において、１はコンパクトカメラ、２は鏡筒内に配置された撮影レンズ系、また、４は撮像素子面、５はバックモニタである。なお、撮像素子としては、小型のＣＣＤ又はＣＭＯＳ等が用いられている。
【０１２９】
そして、コンパクトカメラ１の撮影レンズ系２として、例えば上記実施例１〜７に示した本実施形態のズームレンズが用いられる。
【０１３０】
図１６、図１７は、本発明に係る撮像装置の構成の概念図を示す。図１５は撮像装置としてのデジタルカメラ４０の外観を示す前方斜視図、図１６は同後方斜視図である。このデジタルカメラ４０の撮影光学系４１に、本実施形態のズームレンズが用いられている。
【０１３１】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１３２】
図１８は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１３３】
図１８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１３４】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１３５】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１３６】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１３７】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１３８】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１３９】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１４０】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１４１】
このように構成されたデジタルカメラ４０は、撮影光学系４１として本発明のズームレンズを採用することで、広画角、小型でありながら、画質を劣化させずに高解像の画像を得るのに有利な撮像装置とすることが可能となる。
【産業上の利用可能性】
【０１４２】
以上のように、本発明にかかるズームレンズ及び撮像装置は、明るいレンズであり、かつ光学系全長が短くコンパクトであり、良好な収差性能を有する場合に有用である。
【符号の説明】
【０１４３】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｆ  フィルター 
Ｃ…平行平板
Ｉ…像面
１…コンパクトカメラ
２…撮影レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2013137464.tif 000003
【図２】
2013137464.tif 000004
【図３】
2013137464.tif 000005
【図４】
2013137464.tif 000006
【図５】
2013137464.tif 000007
【図６】
2013137464.tif 000008
【図７】
2013137464.tif 000009
【図８】
2013137464.tif 000010
【図９】
2013137464.tif 000011
【図１０】
2013137464.tif 000012
【図１１】
2013137464.tif 000013
【図１２】
2013137464.tif 000014
【図１３】
2013137464.tif 000015
【図１４】
2013137464.tif 000016
【図１５】
2013137464.tif 000017
【図１６】
2013137464.tif 000018
【図１７】
2013137464.tif 000019
【図１８】
2013137464.tif 000020